(57)【特許請求の範囲】
【請求項１】
信号ライン用コイルパターンと、該信号ライン用コイルパターンと同一平面に形成された接地ライン用コイルパターンと、前記各コイルパターンとが形成される誘電体層と、該誘電体層に形成される複数の内部回路接続点と、を備え、
前記各コイルパターンと、前記誘電体層とを、交互に複数積層し前記内部回路接続点により接続することで信号ライン用コイル及び接地ライン用コイルをなす立方体からなり、
前記立方体の少なくとも一面における一方に、第１（ａ）端子電極、該第１（ａ）端子電極に隣接する第２（ｇ）端子電極、該第２（ｇ）端子電極に隣接する第３（ｂ）端子電極が配置され、
前記立方体の少なくとも一面における他方に、前記第１（ａ）端子電極に対向する第４（ａ´）端子電極、該第４（ａ´）端子電極に隣接し、且つ前記第２（ｇ）端子電極に対向する第５（ｇ´）端子電極、該第５（ｇ´）端子電極に隣接し、且つ前記第３（ｂ）端子電極に対向する第６（ｂ´）端子電極が配置される積層フィルタであって、
前記信号ライン用コイルの巻き上げ方向と前記接地ライン用コイルの巻き上げ方向は同一であり、同一平面の前記各コイルパターンは対称のコイルパターンで形成され、前記各コイルパターン間を接続することでインダクタを形成し、
更に、前記各コイルパターンは各誘電体層を挟んで積層方向に対向しており、この対向部分によりキャパシタンスを形成し、
前記信号ライン用コイルを、前記第１（ａ）、第３（ｂ）、第４（ａ´）、第６（ｂ´）端子電極に接続し、信号ライン用コイル端子電極を形成し、
前記接地ライン用コイルを、前記第２（ｇ）、第５（ｇ´）端子電極に接続し、接地ライン用コイル端子電極を形成し、
前記信号ライン用コイルの両端のコイルパターンは内部回路接続点より同一平面に対称に２箇所ずつ同じ長さの信号ライン用コイルパターンを形成し、
一端は前記第１（ａ）端子電極及び前記第４（ａ´）端子電極へ、
他端は前記第３（ｂ）端子電極及び前記第６（ｂ´）端子電極へと接続され、
前記一端につながる端子電極が前記他端につながる端子電極に対し対向配置されないように形成され、
接地ライン用コイルの片端のコイルパターンは内部回路接続点より同一平面に対称に２箇所ずつ同じ長さの接地ライン用コイルパターンを形成し、
前記第２（ｇ）端子電極及び前記第５（ｇ´）端子電極へと接続され、
前記片端につながる端子電極が前記信号ライン用コイル端子電極に対し対向配置されないように形成されることを特徴とする積層フィルタ。
【請求項２】
前記信号ライン用コイルの両端の端子電極が積層フィルタの１つの面のみに形成され、前記接地ライン用コイルの片端の端子電極も前記１つの面のみに形成されていることを特徴とする請求項１記載の積層フィルタ。
【発明の詳細な説明】
【０００１】
【発明の属する技術分野】
本発明は積層フィルタに係り、特に高周波領域で十分な減衰が得ることができるようにしたものに関する。
【０００２】
【従来の技術】
複数のセラミック層を積層してなる積層体の各層間に信号ラインの導体コイルパターンと、接地ラインの導体コイルパターンを形成した積層ノイズフィルタが携帯電話等の各分野で使用されている。例えば特開平８−１３０４３０号公報に記載されている従来の積層ノイズフィルタは、図７（Ａ）▲１▼〜▲４▼に示す如く、セラミック層１１ｂに信号ライン用コイルパターン１２ｂと接地ライン用コイルパターン１３ｂを印刷し、セラミック層１１ｃに信号ライン用コイルパターン１２ｃと接地ライン用コイルパターン１３ｃを印刷し、セラミック層１１ｄに信号ライン用コイルパターン１２ｄと接地ライン用コイルパターン１３ｄを印刷し、セラミック層１１ｈに信号ライン用コイルパターン１２ｈと接地ライン用コイルパターン１３ｈを印刷する。
【０００３】
ここで図７（Ａ）▲１▼に示すセラミック層１１ｂはコイルパターンの印刷された最上位のものであり、信号ライン用コイルパターン１２ｂの右端は、図７（Ｂ）に示す信号ライン側の端子電極１６と接続される。そして図７（Ａ）▲４▼で示すセラミック層１１ｈはコイルパターンの印刷された最下位のものであり、信号ライン用コイルパターン１２ｈの左端は、図７（Ｂ）に示す信号ライン側の端子電極１７と接続される。また接地ライン用コイルパターン１３ｂ、１３ｃ、１３ｄ、１３ｈにはそれぞれ引出し部２１ｂ、２１ｃ、２１ｄ、２１ｈが形成され、図７（Ｂ）に示す接地ライン側の端子電極１８と接続される。
【０００４】
図７（Ａ）▲１▼に示す信号ライン用コイルパターン１２ｂの左端は、ビアホール導体１４ｂにより▲２▼に示す信号ライン用コイルパターン１２ｃの左端と接続され、この信号ライン用コイルパターン１２ｃの右端はビアホール導体１４ｃにより▲３▼に示す信号ライン用コイルパターン１２ｄの右端と接続される。
【０００５】
また図７（Ａ）▲１▼に示す接地ライン用コイルパターン１３ｂの左端はビアホール導体１５ｂにより▲２▼に示す接地ライン用コイルパターン１３ｃの左端と接続され、この接地ライン用コイルパターン１３ｃの右端はビアホール導体１５ｃにより▲３▼に示す接地ライン用コイルパターン１３ｄの右端と接続される。
【０００６】
また図７（Ａ）▲３▼に示すセラミック層１１ｄと▲４▼に示すセラミック層１１ｈの間には少なくとも▲２▼で示すセラミック層１１ｃが１枚が配置される。そしてそのコイルパターンを経由してビアホール導体により▲３▼の信号ライン用コイルパターン１２ｄと▲４▼の信号ライン用コイルパターン１２ｈが接続され、同様に▲３▼の接地ライン用コイルパターン１３ｄと▲４▼の接地ライン用コイルパターン１３ｈとが接続される。
【０００７】
このようにしてそれぞれ信号ライン用コイルパターンと接地ライン用コイルパターンが形成されたセラミック層はそれぞれ積層され、少なくとも最上層のセラミック層１１ｂの上にはこれらコイルパターンの形成されていないセラミック層が積層されて一体化されて焼結される。
【０００８】
それから図７（Ｂ）に示す如く、両端に信号ライン側の端子電極１６、１７及び中央に接地ライン側の端子電極１８が形成されて積層ノイズフィルタとなる積層体１０が構成される。
【０００９】
このとき各信号ライン用コイルパターンはビアホール導体で接続されて信号ラインコイル１２を構成し、接地ライン用コイルパターンもまたビアホール導体で接続されて接地ラインコイル１３を構成する。そしてこれらのコイルパターンを誘電体層であるセラミック層を介して対向させることによりキャパシタンスが形成される。これらコイルとキャパシタンスにより図７（Ｃ）に示す等価回路をもつ積層ノイズフィルタが構成される。
【００１０】
ところでこの積層ノイズフィルタでは、図７（Ｂ）に示す如く、入出力端子となる信号ライン側の端子電極１６、１７が対向して形成されているため、同（Ｃ）に示す如く、キャパシタ１９が存在することになる。すなわち信号ラインコイル１２にはこのキャパシタ１９が並列に接続されたものと等価となる。
【００１１】
このためこの構造で積層ノイズフィルタを小型化すると、端子電極１６、１７間の距離が小さくなるので、この端子電極１６、１７間のキャパシタ１９の容量が増大し、高周波領域で十分な減衰が得られない。
【００１２】
即ち、図５の実線Ｂに示す如く、例えば３０００ＭＨｚの周波数では減衰量が−２８ｄＢ程度であり、十分な減衰が得られない。
また信号側の端子電極を互に対向配置させないような積層ノイズフィルタとしては、特開平４−３７００５号公報に記載されている図８に示す如きものがある。
【００１３】
図８（Ａ）に示す如く、基板１００−１上に絶縁板３２−１を積層し、その中央に位置する中央セグメント３２ａ−１の端面に補助端子部５２ａ′を被覆形成し、さらにセグメント３２ａ−１、３２ｂ−１の表面には補助端子部５２ａ′から連続する第２の導電性エレメント５４−１を被覆形成する。
【００１４】
次に図８（Ｂ）に示す如く、絶縁板３２−１の表面に、第２の導電性エレメント５４−１の端部が露出するよう、次の絶縁板３２−２の一部を構成する中央セグメント３２ａ−２を積層する。そして第２の導電性エレメント５４−１から連続する第２の導電性エレメント５４−２を、サイドセグメント３２ｂ−１から、次の層の中央セグメント３２ａ−２にかけて被覆形成する。これと同時に、第１層目のサイドセグメント３２ｃ−１の端面に補助端子部４２ａ′を被覆形成する。さらにサイドセグメント３２ｃ−１から次の層の中央セグメント３２ａ−２の表面に、前記補助端子部４２ａ′から連続し、しかも中央セグメント３２ａ−２を介し第２の導電性エレメント５４−１と相対する第１の導電性エレメント４４−１を被覆形成する。
【００１５】
それから図８（Ｃ）に示す如く、各導電性エレメント４４−２、５４−１の端部が露出するよう次の層のサイドセグメント３２ｂ−２、３２ｃ−２を絶縁板３２−１の表面に積層する。そしてセグメント３２ａ−２、３２ｃ−２上に第２の導電性エレメント５４−２から連続する第２の導電性エレメント５４−３を被覆形成する。
【００１６】
これと同時に、セグメント３２ａ−２、３２ｂ−２上に、前記第１の導電性エレメント４４−１から連続し、しかもこれら各セグメント３２ａ−２、３２ｂ−２を介し第２の導電性エレメント５４−２と相対向する第１の導電性エレメント４４−２をコ字状に被覆形成する。
【００１７】
このような絶縁層の積層工程と、エレメントの形成工程とを図８（Ｄ）〜（Ｇ）に示す如く、繰返して行う。その後、図８（Ｈ）に示す如く、絶縁性基板１００−２を絶縁板３２−４上に積層することにより、積層体３０を形成する。これにより第１の導体４０、第２の導体５０は、それぞれ所定のターン数のコイルを形成する。
【００１８】
このとき、図８（Ｇ）の工程で、サイドセグメント３２ｂ−４の端面に、第１の導電性エレメント４４−６から連続する補助端子部４２ｂ′を被覆形成する。そして図８（Ｉ）の最終工程で、この積層体３０の片側端部に、補助端子部４２ａ′、４２ｂ′、５２ａ′と電気的に接続された端子４２ａ、４２ｂ、５２ａを被覆形成し、積層ノイズフィルタを得るものである。この場合、中央の端子５２ａは接地側の端子となり、その両側の端子４２ａ、４２ｂは信号ライン用の入出力端子となる。
【００１９】
【発明が解決しようとする課題】
この図８（Ｉ）に示す如く、信号ライン用の入出力端子４２ａ、４２ｂの間に接地側の端子５２ａを設けて、これらを同一平面上に位置させ、入出力端子４２ａ、４２ｂを対向しないように配置したので、図７に示す積層ノイズフィルタのように信号ライン用の入出力端子間におけるキャパシタは存在しない。このため、前記の如き高周波領域の減衰量が不充分となる欠点は生じないが、信号ライン用コイルと接地ライン用コイルを同一方向に巻き上げる構造のために端面への引出しパターンが同一層にない。これによって、信号ライン用コイルパターンと接地ライン用コイルパターンの巻き上げ開始層が同一でない。しかもパターンが複雑でどこが重なっているのか解明がむづかしく、そのため特性の調整を行うために必要な、両コイルのインダクタンス値及びコイル間のキャパシタンス値の確認、解析が非常に困難であった。
【００２０】
従って本発明の目的は、コイルのインダクタンス値及びコイル間のキャパシタンス値の確認、解析が容易でしかも信号ライン用の入出力端子間のキャパシタの存在を抑制するために信号ライン用の入出力端子を対向させないようにした積層フィルタを提供することである。
【００２１】
【課題を解決するための手段】
前記目的を達成するため、本発明の積層フィルタでは、図１に示す如く、信号ライン用コイルパターンと、該信号ライン用コイルパターンと同一平面に形成された接地ライン用コイルパターンと、前記各コイルパターンとが形成される誘電体層と、該誘電体層に形成される複数の内部回路接続点と、を備え、前記各コイルパターンと、前記誘電体層とを、交互に複数積層し前記内部回路接続点により接続することで信号ライン用コイル及び接地ライン用コイルをなす立方体からなり、前記立方体の少なくとも一面における一方に、第１（ａ）端子電極、該第１（ａ）端子電極に隣接する第２（ｇ）端子電極、該第２（ｇ）端子電極に隣接する第３（ｂ）端子電極が配置され、前記立方体の少なくとも一面における他方に、前記第１（ａ）端子電極に対向する第４（ａ´）端子電極、該第４（ａ´）端子電極に隣接し、且つ前記第２（ｇ）端子電極に対向する第５（ｇ´）端子電極、該第５（ｇ´）端子電極に隣接し、且つ前記第３（ｂ）端子電極に対向する第６（ｂ´）端子電極が配置される積層フィルタであって、前記信号ライン用コイルの巻き上げ方向と前記接地ライン用コイルの巻き上げ方向は同一であり、同一平面の前記各コイルパターンは対称のコイルパターンで形成され、前記各コイルパターン間を接続することでインダクタを形成し、更に、前記各コイルパターンは各誘電体層を挟んで積層方向に対向しており、この対向部分によりキャパシタンスを形成し、前記信号ライン用コイルを、前記第１（ａ）、第３（ｂ）、第４（ａ´）、第６（ｂ´）端子電極に接続し、信号ライン用コイル端子電極を形成し、前記接地ライン用コイルを、前記第２（ｇ）、第５（ｇ´）端子電極に接続し、接地ライン用コイル端子電極を形成し、前記信号ライン用コイルの両端のコイルパターンは内部回路接続点より同一平面に対称に２箇所ずつ同じ長さの信号ライン用コイルパターンを形成し、一端は前記第１（ａ）端子電極及び前記第４（ａ´）端子電極へ、他端は前記第３（ｂ）端子電極及び前記第６（ｂ´）端子電極へと接続され、前記一端につながる端子電極が前記他端につながる端子電極に対し対向配置されないように形成され、接地ライン用コイルの片端のコイルパターンは内部回路接続点より同一平面に対称に２箇所ずつ同じ長さの接地ライン用コイルパターンを形成し、前記第２（ｇ）端子電極及び前記第５（ｇ´）端子電極へと接続され、前記片端につながる端子電極が前記信号ライン用コイル端子電極に対し対向配置されないように形成されることを特徴とする。
【００２２】
これによりコイルのインダクタ及びコイルのキャパシタの解析が非常に容易で、しかも信号ライン用の入出力端子の端子電極が、互に対向配置しない構成の積層フィルタを得ることができる。
【００２３】
【発明の実施の形態】
本発明の一実施の形態を図１〜図５に基づき説明する。図１は本発明により構成される積層フィルタの分解構成説明図、図２は本発明により構成される積層フィルタの各層のコイルパターン説明図、図３は本発明の信号ライン用コイルと接地ライン用コイルとの層間対向部分説明図、図４は本発明による積層フィルタの斜視図及び等価回路説明図、図５は本発明と従来例との特性比較図である。
【００２４】
本発明の積層フィルタは、図１に示す如く、先ずコイルパターンの形成されていない誘電体グリーンシート１ｆを用意し、その上に、誘電体グリーンシート１ｅを積層し、この誘電体グリーンシート１ｅ上に信号ライン用コイルパターン２ｅ及び接地ライン用コイルパターン３ｅを形成する。この信号ライン用コイルパターン２ｅは、その両端に信号ライン用コイル引出電極４ｅ−１、４ｅ−２が形成され、中央部分には内部回路接続点Ｃ10が形成されている。また接地ライン用コイルパターン３ｅは、その両端に接地ライン用コイル引出電極４ｅ−３、４ｅ−４が形成され、中央部分には内部回路接続点Ｃ11が形成されている。
【００２５】
この誘電体グリーンシート１ｅの上に誘電体グリ−ンシート１ｄを積層し、この誘電体グリーンシート１ｄの上に信号ライン用コイルパターン２ｄ及び接地ライン用コイルパターン３ｄを形成する。この信号ライン用コイルパターン２ｄは、その両端に内部回路接続点Ｃ8 、Ｃ9 が形成され、また接地ライン用コイルパターン３ｄの両端に内部回路接続点Ｃ6 、Ｃ7 が形成されている。そして信号ライン用コイルパターン２ｄと接地ライン用コイルパターン３ｄは対称形であり、後述するように、同方向（例えば誘電体グリーンシートの下から上の方向に電流が流れるときは右廻り方向）に電流が流れるように巻回状に形成されている。
【００２６】
誘電体グリーンシート１ｄの上には誘電体グリーンシート１ｃが積層され、この誘電体グリーンシート１ｃの上に信号ライン用コイルパターン２ｃ及び接地ライン用コイルパターン３ｃを形成する。この信号ライン用コイルパターン２ｃはその両端に内部回路接続点Ｃ4 、Ｃ5 が形成され、また接地ライン用コイルパターン３ｃの両端に内部回路接続点Ｃ2 、Ｃ3 が形成されている。そして信号ライン用コイルパターン２ｃと接地ライン用コイルパターン３ｃは対称形であり、これまた同方向に電流が流れるように巻回状に形成されている。
【００２７】
誘電体グリーンシート１ｃの上には誘電体グリーンシート１ｂが積層され、この誘電体グリーンシート１ｂの上に信号ライン用コイルパターン２ｂ及び接地ライン用コイルパターン３ｂを形成する。この信号ライン用コイルパターン２ｂは、その両端に、しかも前記信号ライン用コイル引出電極４ｅ−１、４ｅ−２の位置とは反対端の離れた位置に、信号ライン用コイル引出電極４ｂ−１、４ｂ−２が形成され、中央部分には内部回路接続点Ｃ0 が形成されている。また接地ライン用コイルパターン３ｂは、その一端に内部回路接続点Ｃ1 が形成されているが、他端はどこにも電気接続されず、開放端を形成している。
【００２８】
そしてこの誘電体グリーンシート１ｂの上に、何もコイルパターンの存在しない誘電体グリーンシート１ａが積層される。
またこのように各誘電体グリーンシートを積層してコイルパターンを形成するとき、接続用ビアホール導体５により内部回路接続点Ｃ10とＣ8 、Ｃ9 とＣ5 、Ｃ4 とＣ0 が接続されて各信号ライン用コイルパターン２ｅ、２ｄ、２ｃ、２ｂは電気的に接続されインダクタンスを構成する。同様に接続用ビアホール導体６により内部回路接続点Ｃ11とＣ7 、Ｃ6 とＣ2 、Ｃ3 とＣ1 が接続されて各接地ライン用コイルパターン３ｅ、３ｄ、３ｃ、３ｂは電気的に接続されインダクタンスを構成する。
【００２９】
それからこれら誘電体グリーンシート１ａ〜１ｆの積層体上に、図４に示す如く、信号ライン用コイル引出電極４ｅ−１と接続する信号ライン用コイル端子電極ａと、信号ライン用コイル引出電極４ｅ−２と接続する信号ライン用コイル端子電極ａ′と、信号ライン用コイル引出電極４ｂ−１と接続する信号ライン用コイル端子電極ｂと、信号ライン用コイル引出電極４ｂ−２と接続する信号ライン用コイル端子電極ｂ′と、接地ライン用コイル引出電極４ｅ−３と接続する接地ライン用コイル端子電極ｇと、接地ライン用コイル引出電極４ｅ−４と接続する接地ライン用コイル端子電極ｇ′をその側壁部分に形成する。
【００３０】
従って本発明による積層フィルタは、図４（Ａ）に示すように、信号ライン用コイル端子電極ａ、ａ′と、信号ライン用コイル端子電極ｂ、ｂ′とが、図７（Ｂ）に示す端子電極６、７の如く対向配置していないため、これらの電極間にはキャパシタが存在することがない。即ち、等価回路は図４（Ｂ）の如く信号ライン用コイル２、接地ライン用コイル３、これらコイル間の容量を表現できる。そのため、本発明による積層フィルタは、図５の点線に示す如く、３０００ＭＨｚの高域周波数域において、その減衰量が、実線で示す従来例の減衰量よりも約−１０ｄＢ大きなものとすることができる。
【００３１】
しかも本発明では、図１に示す如く、信号ライン用コイル引出電極４ｅ−１、４ｅ−２と、接地ライン用コイル引出電極４ｅ−３、４ｅ−４とを同一の層すなわち同一の誘電体グリーンシート１ｅに配置した。これにより、信号ライン用コイル及び接地ライン用コイルを、図２（Ｂ）、（Ｃ）に示す如く、対称のパターンで構成することができる。更に、図１に示す如く、接続用ビアホール導体５、６により接続することが可能となり、両コイルの層間で対向するパターンが、図３に示す斜線部で示す通りのものとなり、これにより各コイルパターン間の一層毎のキャパシタンス値が確定するのでその設計を容易にすることができる。すなわち、積層フィルタに必要なＬ、Ｃの値は、この図２（Ｂ）、（Ｃ）のパターンの積層数に基づき極めて容易に特性値の確認、解析することができる。
【００３２】
なお、図１において誘電体グリーンシート１ｆは必ずしも必要なものではないが、積層フィルタの寸法の調整や、その強度の補強（誘電体グリーンシート１ｅの厚みが薄いときの補強）などのために使用される。
【００３３】
本発明の第２の実施の形態を図６にもとづき説明する。第１の実施の形態では、積層フィルタの信号ラインコイル用端子電極ａ、ａ′、ｂ、ｂ′及び接地ライン用コイル端子電極ｇ、ｇ′を、図４（Ａ）に示す如く、その側壁に形成していたが、第２の実施の形態では、図６に示す如く、これらの信号ラインコイル用端子電極ａ、ａ′、ｂ、ｂ′及び接地ライン用コイル端子電極ｇ、ｇ′をその底部に形成したものである。
【００３４】
本発明の第２の実施の形態では、図６に示す如く、先ず誘電体グリーンシート１ｈ′を用意し、その上に同じく誘電体グリーンシート１ｇ′を積層する。これらの誘電体グリーンシート１ｈ′、１ｇ′にはその所定の位置にそれぞれビアホールＶｈが形成されている。
【００３５】
この誘電体グリーンシート１ｇ′の上にはビアホールＶｈが形成された誘電体グリーンシート１ｅ′を積層し、この上に信号用ライン用コイルパターン２ｅ′及び接地ライン用コイルパターン３ｅ′を形成する。この信号ライン用コイルパターン２ｅ′はその両端に信号ライン用コイル引出電極４ｅ−１′、４ｅ−２′が形成され、中央部分には前記図１と同様に内部接続点Ｃ10′が形成されている。また接地ライン用コイルパターン３ｅ′は、その両端に接地ライン用コイル引出電極４ｅ−３′、４ｅ−４′が形成され、中央部分には内部回路接続点Ｃ11′が形成されている。なお前記信号ライン用コイル引出電極４ｅ−１′、４ｅ−２′及び接地ライン用引出電極４ｅ−３′、４ｅ−４′は誘電体グリーンシート１ｅ′の内側に形成されている。
【００３６】
この誘電体グリーンシート１ｅ′の上にはビアホールＶｈが形成された誘電体グリーンシート１ｄ′を積層し、この上に信号ライン用コイルパターン２ｄ′及び接地ライン用コイルパターン３ｄ′を形成する。この信号ライン用コイルパターン２ｄ′はその両端に内部回路接続点Ｃ8 ′、Ｃ9 ′が形成され、また接地ライン用コイルパターン３ｄ′の両端に内部回路接続点Ｃ6 ′、Ｃ7 ′が形成されている。そして信号ライン用コイルパターン２ｄ′と接地ライン用コイルパターン３ｄ′は対称形であり、前記図１の例と同様に同方向に電流が流れるように巻回状に形成されている。
【００３７】
誘電体グリーンシート１ｄ′の上にはビアホールＶｈが形成された誘電体グリーンシート１ｃを積層し、その上に信号ライン用コイルパターン２ｃ′及び接地ライン用コイルパターン３ｃ′を形成する。この信号ライン用コイルパターン２ｃ′はその両端に内部回路接続点Ｃ4 ′、Ｃ5 ′が形成され、また接地ライン用コイルパターン３ｃ′の両端に内部回路接続点Ｃ2 ′、Ｃ3 ′が形成されている。そして信号ライン用コイルパターン２ｃ′と接地ライン用コイルパターン３ｃ′は対称であり、これまた同方向に電流が流れるように巻回状に形成されている。
【００３８】
誘電体グリーンシート１ｃ′の上にはビアホールＶｈが形成された誘電体グリーンシート１ｂ′を積層し、その上に信号ライン用コイルパターン２ｂ′及び接地ライン用コイルパターン３ｂ′を形成する。この信号ライン用コイルパターン２ｂ′はその両端に、しかも前記信号ライン用コイル引出電極４ｅ−１′、４ｅ−２′の位置とは反対端の離れた位置に、信号ライン用コイル引出電極４ｂ−１′、４ｂ−２′が形成され、中央部分には内部回路接続点Ｃ0 ′が形成されている。また接地ライン用コイルパターン３ｂ′は、その一端に内部回路接続点Ｃ1 ′が形成されているが、他端はどこにも電気接続されず、開放端を形成している。なお前記信号ライン用コイル引出電極４ｂ−１′、４ｂ−２′は誘電体グリーンシート１ｂ′の内側に形成されている。
【００３９】
そしてこの誘電体グリーンシート１ｂ′の上に、何もコイルパターンの存在しない誘電体グリーンシート１ａ′が形成される。
またこのように各誘電体グリーンシートを積層してコイルパターンを形成するとき、前記図１と同様に、接続用ビアホール導体５′により内部回路接続点Ｃ10′とＣ8 ′、Ｃ9 ′とＣ5 ′、Ｃ4 ′とＣ0 ′が接続されて各信号ライン用コイルパターン２ｅ′、２ｄ′、２ｃ′、２ｂ′は電気的に接続されインダクタンスを構成する。同様に接続用ビアホール導体６′により内部回路接続点Ｃ11′とＣ7 ′、Ｃ6 ′とＣ2 ′とＣ3 ′とＣ1 ′が接続されて各接地ライン用コイルパターン３ｅ′、３ｄ′、３ｃ′、３ｂ′は電気的に接続されインダクタンスを構成する。
【００４０】
最後にこの図６において底部に示す、積層体の誘電体グリーンシート１ｈ′の外部に信号ライン用コイル端子電極ａ、ａ′、ｂ、ｂ′及び接地ライン用コイル端子電極ｇ、ｇ′を形成する。
【００４１】
これにより前記各パターンを形成すると同時に形成された接続用ビアホール導体５−１′により前記信号ライン用コイル引出電極４ｅ−１′と信号ライン用コイル端子電極ａが接続され、接続用ビアホール導体５−２′により信号ライン用コイル引出電極４ｅ−２′と信号ライン用コイル端子電極ａ′が接続される。そして接続用ビアホール導体５−３′により信号ライン用コイル引出電極４ｂ−１′と信号ライン用コイル端子電極ｂが接続され、接続用ビアホール導体５−４′により信号ライン用コイル引出電極４ｂ−２′と信号ライン用コイル端子電極ｂ′が接続される。さらに、接続用ビアホール導体６−１′により接地ライン用引出電極４ｅ−３′と接地ライン用コイル端子電極ｇが接続され、接続用ビアホール導体６−２′により接地ライン用引出電極４ｅ−４′と接地ライン用コイル端子電極ｇ′が接続される。
【００４２】
このようにして、各端子電極が積層体の一面のみ、例えば底面に形成された積層フィルタを構成することができる。
この図６に示す積層フィルタは、前記第一の実施の形態に示した積層フィルタの有するすぐれた作用効果に加えて、実装面積がそのチップサイズで可能となる更に他の面に端子電極がなく端子電極の存在による凹凸面がないので、エアーで吸引するとき空気もれがなく吸着し易い等のすぐれた特性を有する。
【００４３】
なお前記説明では積層ノイズフィルタの例について説明したが、本発明は勿論これのみに限定されるものではない。
また、前記説明は、グリーンシートを積層した後に各パターンを形成する例を示したが、本発明は勿論これに限定されるものではなく、先に各パターンを形成したグリーンシートを用意しておき、これらグリーンシートを順次積層してもよい。更に、シート法に代えてスクリーン印刷法や、他の方法によって積層することもできる。
【００４４】
【発明の効果】
本発明によれば、下記の如きすぐれた効果を奏することができる。
（１）信号側の端子電極が対向配置されていないので、その間にキャパシタンスを存在させることがなく、従って高周波領域において高い減衰特性を有する積層フィルタを提供することができる。
【００４５】
（２）コンデンサ容量やインダクタンス値等の解析が極めて容易な積層フィルタを提供することができる。
（３）実装面積がそのチップサイズで可能となるのみならず、回路基板に取付けるときに電子部品用の自動装着機によるエアーで吸着しやすい作業効率の高い積層フィルタを提供することができる。
【図面の簡単な説明】
【図１】本発明の一実施の形態の積層フィルタの分解構成説明図である。
【図２】本発明における各層のコイルパターン説明図である。
【図３】本発明における信号ライン用コイルと接地ライン用コイルの層間対向部分説明図である。
【図４】本発明における積層フィルタの斜視図及び等価回路説明図である。
【図５】本発明と従来例との特性比較図である。
【図６】本発明の第２の実施の形態の積層フィルタの分解構成説明図である。
【図７】第１の従来例説明図である。
【図８】第２の従来例説明図である。
【符号の説明】
１  積層体
１ａ〜１ｆ  誘電体グリーンシート
２ｂ〜２ｅ  信号ライン用コイルパターン
３ｂ〜３ｅ  接地ライン用コイルパターン
４ｂ−１、４ｂ−２  信号ライン用コイル引出電極
４ｅ−１、４ｅ−２  信号ライン用コイル引出電極
４ｅ−３、４ｅ−４  接地ライン用コイル引出電極
５  接続用ビアホール導体
６  接続用ビアホール導体
Ｃ0 〜Ｃ11  内部回路接続点
ａ、ａ′  信号ライン用コイル端子電極
ｂ、ｂ′  信号ライン用コイル端子電極
ｇ、ｇ′  接地ライン用コイル端子電極
【図１】
0004290776.tif 000002
【図２】
0004290776.tif 000003
【図３】
0004290776.tif 000004
【図４】
0004290776.tif 000005
【図５】
0004290776.tif 000006
【図６】
0004290776.tif 000007
【図７】
0004290776.tif 000008
【図８】
0004290776.tif 000009